(57)【要約】【課題】  宝飾冠内のＬＥＤを点滅させる為に  指輪のリング部に設置した点滅用の接点スイッチを、人差し指、薬指で圧接する動作により、人の脳の衰退を防止し、脳を賦活、活性させる。又、本指輪の宝飾冠部は、宝石を模した各種の宝飾冠を交換可能にした事と、各人が最小フィルムに描画製作した絵画を、宝飾冠内部に保持、固定して、フィルム下面からＬＥＤを点滅させて、自身、他人共に観賞する、ＬＥＤ内臓美術指輪である。【解決手段】本考案は、指輪３の左右に釦スイッチ５，１２を装置し、指輪３の手の甲側に、論理配線基板１４、ＬＥＤ保持板１５、ＬＥＤ１６、描画した最小フィルム１７、を搭載し、交換可能な宝飾冠１、で冠蓋する。指輪３の手の平側には、論理配線基板７、釦電池８、を収納した、釦電池収納ボックス６，９，を装着した形態である。【選択図】図３
0003132497.tif 000002
【実用新案登録請求の範囲】
【請求項１】
本考案のＬＥＤ点滅美術指輪の宝飾冠１は、宝石を模した、半円球冠、ダイヤモンド型冠、オパール型冠、マーキースシェイプ型冠、ペアシェイプ型冠、エメラルドカット型の冠と交換可能にした事。
【請求項２】
交換可能な冠の内面にフィルム保持突起２、を付し、各人が、イラスト画、絵画を描画した最小フィルムをフィルム保持突起２、に保持、固定して、その下面から照明する。即ち、指輪本体のリング部３の左右に、設置した釦スイッチ５及び１２を、人差し指又は薬指で圧接する事で、ＬＥＤを照明或いは点滅させて、絵画フィルムの下面から照明して、宝飾冠の外部から観賞する美術的価値を付加した指輪である。
【考案の詳細な説明】
【技術分野】
【０００１】
本考案は、宝石を模した数個の宝飾冠で、指輪の宝飾冠部を、交換可能にし、宝飾冠内部に、作画した最小絵画を嵌め込み、宝飾冠内部でＬＥＤを発光させて、照明して、観賞する指輪である。
【背景技術】
【０００２】
従来、指輪の宝飾冠は、宝飾冠を多種の形状に変化を付けたり、着色したり、玩具的な物であったり、宝飾冠内部でＬＥＤを点灯させたり、体温を感知して使用者に表示する機能を有する、等、指輪の先行技術の考案はあった。然し指輪の所持者自身が、所有する指輪を操作する事で、身体的利益を受けたり、指輪に美術的付加価値を付ける、と言う事はなかった。
【考案の開示】
【考案が解決しようとする課題】
【０００３】
従来は、指輪所有者は指輪から、受動的に利益を受けるだけであったが、本考案は、指輪所有者が、指輪に能動的に働き掛けて、指輪から利益を受けると言う、発想の、転換をして、考案した物である。
【課題を解決するための手段】
【０００４】
指輪の宝飾冠内のＬＥＤを点滅させて指輪を観賞するだけでなく、宝飾冠を、代表的な、宝石数個の宝石形態に模し、その宝飾冠を交換可能とした事と。
しかも、製作した、最小絵画を宝飾冠内に嵌め込んで、美術的に鑑賞する指輪とした事。
【考案の効果】
【０００５】
上述の様に、本考案のＬＥＤ点滅美術指輪は、宝飾冠内のＬＥＤを点滅させて、描画した最小絵画を照明して、美術的に観賞する指輪とした事。
【０００６】
宝石を模した多種類の形態を有する宝飾冠を、交換可能とし、当該宝飾冠の内部に、製作した最小絵画を嵌め込むことで、鑑賞すべき宝飾冠のバリエーションを非常に多数にした事。
【０００７】
中指に嵌めた指輪内の２個乃至４個のＬＥＤを、人の思考の変化につれて、点滅させる為に、人差し指、薬指を指輪のリングに圧接する事で人の脳に刺激を与える構造とした事。
【０００８】
多種類の微少カラー粉末を透明フィルムに塗布して、最小絵画を制作する事で、人の脳の細胞の減少を阻止し、脳の衰退、退行を阻止し、脳細胞を増加させ、脳の活性を助勢する効果及び、認知症の予防を期待する構造とした事。
【０００９】
現実に、中指に嵌めた指輪内の２個乃至４個のＬＥＤを点滅する為に、人差し指、薬指を指輪のリングに圧接する事で、医学的に脳内の血流が増大した事が、確認されている。
【考案を実施するための最良の形態】
【００１０】
本考案のＬＥＤ点滅美術指輪は、宝飾冠内のＬＥＤを点滅させる為に、リングの左右に最小なる圧接型釦スイッチを２個嵌め込み、人差し指、薬指で圧接して、ＬＥＤを２個、３個までは論理配線基板を使わずとも、点滅は可能である。ＬＥＤ４個では論理配線基板を使う。
【００１１】
交換用の各種、宝飾冠は、半円球冠、ダイヤモンド型冠、オパール型冠、マーキースシェイプ型冠、ペアシェイプ型冠、エメラルドカット型冠を図示する。
【００１２】
リングの手の甲側に宝飾冠用の下蓋を固定した事と、宝石を模した多種類の形態を有するどのような宝飾冠でも、即時、嵌め込み出来る様に、各宝飾冠の底面の開口部は、リングの手の甲側にある宝飾冠用の下蓋と同一の直径とした。
【００１３】
各種の形態をなせる装飾冠とＬＥＤの間隙は、空間を確保し。イラスト画、美術画を作画した、各種のフィルムを嵌め込み、脱落しないように、宝飾冠の内面に、フィルム保持突起２、を設けた。しかして、ＬＥＤ１６、を点滅、又は発光させて、描画した美術絵画を宝飾冠の外側から観賞出来るようにした。
【００１４】
イラスト画、美術画の製作方法は、鉱石、ガラス、合成樹脂、箔、その他の材料の、カラー着色粉末を、各人の手技により、透明フィルムに、塗布、接着、又は描画して、イラスト画、美術画を製作する。
【実施例】
【００１５】
以下、添付図面に従って、実施例を説明する。１はガラス、耐久性のプラスチック等適宜素材で形成の宝飾冠。２はフィルム保持用突起。３はＬＥＤ内臓美術指輪の指輪部。１３は宝飾冠用下蓋
【００１６】
３、４、５、６、７、８、９、１０、１３、１４、１５、１６、は１塊の構造物を形成して、宝飾冠用下蓋１３に、宝飾冠１、を被せる構造をなす。
【図面の簡単な説明】
【００１７】
【図１】本考案のＬＥＤ点滅美術指輪の立面図。
【図２】本指輪の右側面図。
【図３】図２、右側面図のＡ−Ａ断面図
【図４】図３、の宝飾冠のＢ−Ｂの水平断面図。
【図５】図３、の宝飾冠のＢ−Ｂより上の内部の側面図。
【図６】図５の透明フィルム１７に作画した１例を示す。
【図７】半円球形冠を装着した本指輪の上面図
【図８】本指輪の底面図
【図９】半円球形冠の上面図と縦断面図
【図１０】半円球形冠の側面図と底面図
【図１１】ダイヤモンド型冠の上面図と縦断面図
【図１２】ダイヤモンド型冠の側面図
【図１３】ダイヤモンド型冠の底面図
【図１４】オパール型冠の上面図と縦断面図
【図１５】オパール型冠の側面図
【図１６】オパール型冠の底面図
【図１７】マーキースシェイプ型冠の上面図と縦断面図
【図１８】マーキースシェイプ型冠の側面図
【図１９】マーキースシェイプ型冠の底面図
【図２０】ペアシェイプ型冠の上面図と縦断面図
【図２１】ペアシェイプ型冠の側面図
【図２２】ペアシェイプ型冠の底面図
【図２３】エメラルドカット型冠の上面図と縦断面図
【図２４】エメラルドカット型冠の側面図
【図２５】エメラルドカット型冠の底面図
【符号の説明】
【００１８】
１  交換可能な宝飾冠
２  フィルム保持突起
３  指輪本体のリング部
４  交換可能なインナーリング
５  人差し指又は薬指で圧接する釦スイッチ
６  論理配線基板、釦電池収納ボックス
７  論理配線基板
８  釦電池
９  釦電池用ボックスの下蓋
１０  論理配線基板用蓋
１１  論理配線基板収納ボックス
１２  人差し指又は薬指で圧接する釦スイッチ
１３  交換可能な宝飾冠を装着する指輪本体の上板にして。
論理配線基板１４、ＬＥＤ保持板１５、ＬＥＤ１６、を搭載、支持する
１４  論理配線基板
１５  ＬＥＤ保持板
１６  ＬＥＤ
１７  フィルム
【図１】
0003132497.tif 000003
【図２】
0003132497.tif 000004
【図３】
0003132497.tif 000005
【図４】
0003132497.tif 000006
【図５】
0003132497.tif 000007
【図６】
0003132497.tif 000008
【図７】
0003132497.tif 000009
【図８】
0003132497.tif 000010
【図９】
0003132497.tif 000011
【図１０】
0003132497.tif 000012
【図１１】
0003132497.tif 000013
【図１２】
0003132497.tif 000014
【図１３】
0003132497.tif 000015
【図１４】
0003132497.tif 000016
【図１５】
0003132497.tif 000017
【図１６】
0003132497.tif 000018
【図１７】
0003132497.tif 000019
【図１８】
0003132497.tif 000020
【図１９】
0003132497.tif 000021
【図２０】
0003132497.tif 000022
【図２１】
0003132497.tif 000023
【図２２】
0003132497.tif 000024
【図２３】
0003132497.tif 000025
【図２４】
0003132497.tif 000026
【図２５】
0003132497.tif 000027
【手続補正書】
【提出日】平成19年4月4日(2007.4.4)
【手続補正１】
【補正対象書類名】実用新案登録請求の範囲
【補正対象項目名】全文
【補正方法】変更
【補正の内容】
【実用新案登録請求の範囲】
【請求項１】
本考案のＬＥＤ点滅美術指輪は、リング本体の左右にＬＥＤ点滅用の釦型小型スイッチ２個を装着し、リングの上面、即ち手の甲側に、発光ダイオード（ＬＥＤ）を内臓せる宝飾冠を装着し、手の平側に、釦電池と論理基板を内臓せる電池ボックスを装着せる、ＬＥＤ点滅美術指輪にして、上記宝飾冠は、宝石を模した、半円球冠、ダイヤモンド型冠、オパール型冠、マーキースシェイプ型冠、ペアシェイプ型冠、エメラルドカット型の宝飾冠を、交換可能に為せる事を特徴とした形態のＬＥＤ点滅美術指輪。
【請求項２】
ＬＥＤ点滅美術指輪の交換可能な宝飾冠の内面にフィルム保持突起２、を付し、各人が、イラスト画、絵画を描画した最小フィルムをフィルム保持突起２、に交換可能に固定して、その下面からＬＥＤで照明する、即ち、リング本体の左右に、装着した釦スイッチを、人差し指と薬指の指腹で圧接する事により、ＬＥＤを点灯、点滅させて、絵画フィルムの下面から照明して、宝飾冠の上面、外部から観賞する美術的価値を、請求項１に記載したＬＥＤ点滅美術指輪に、付加した事を特徴とするＬＥＤ点滅美術指輪。